(57)【特許請求の範囲】
【請求項１】
圧力（Ｐ1 ）下のガスを搬送する上下流パイプ（Ｃ1 ，Ｃ2 ）の間の一時的接続を形成する迅速継手であって、継手は雄部分（３；１０３；２０３；３０３；４０３；５０３）と雌部分（２；２０２）とから成り、この雌部分は第一に雄部分（３；１０３；２０３；３０３；４０３；５０３）の雄プラグ（５；１０５；２０５；３０５；４０５；５０５）を受ける中空雌要素（７；１０７；２０７；３０７；４０７；５０７）と、第二に雄プラグ（５；１０５；２０５；３０５；４０５；５０５）と雌部分に連結された雄プラグを固定する位置と雄プラグを開放する位置との間に移動できる任意アダプター（２４０）とから選定された連結要素（５；１０５；２０５；３０５；４０５；５０５）を保持するラッチ（２０；１２０；２２０；３２０；４２０；５２０）とから成り、前記ラッチは、前記ラッチが雌部分において第一深さに係合され且つ前記雌部分において耐漏洩方法で連結された連結要素を保持するのに適している第一位置（図２）と、前記ラッチが第一深さより浅い第二深さに係合された連結要素を保持するのに適している第二位置（図３，３Ａ，４；５；６；７；８；９）との間に雌部分に関して移動でき、継手は連結要素（５；１０５；２０５；３０５；４０５；５０５）が第二深さにあるときに下流パイプ（Ｃ1 ）を外側までパージするが、しかし連結要素が第一深さにあるときに下流パイプ（Ｃ1 ）を外側までパージしない通路（４，１７，２６，３４；３０４，３１７，３２６，３３４；４５０；５１７，５２６）を包含する迅速継手において、継手は、前記ラッチ（２０；１２０；２２０；３２０；４２０；５２０）が前記パージ通路（４，１７，２６，３４；３０４，３１７，３２６，３３４；４５０；５１７，５２６）における正圧力（Ｐ2 ）によって少なくとも部分的に第二位置へ戻される（Ｆ3 ）ような形式に構成され、ラッチ（２０；１２０；２２０；３２０；４２０；５２０）は、前記パージ通路（４，１７，２６，３４；３０４，３１７，３２６，３３４；４５０；５１７，５２６）と連通する孔（１６，１１６；３１６；４１６；５１６）で継手の軸線（Ｙ−Ｙ’）に直交する摺動方向（Ｘ−Ｘ’）に移動できるために摺動自在に据え付けられ、ラッチ（２０；１２０；２２０；３２０；４２０）の第一部分（２０Ａ；３２０Ａ；４２０Ａ；５２０Ａ）は、前記孔の一部を形成し且つパージ通路（４，１７，３４；３０４，３１７，３３４；４５０；５１７，５２６）と連通する第二地帯（２６；３２６；４５３；５２６）から外部圧力（Ｐ0 ）を受けた第一地帯（１６Ｃ；３１６Ｃ；４２６）を分離し、ラッチの第一部分（２０Ａ；３２０Ａ；４２０Ａ；５２０Ａ）は前記第一部分（２０Ａ；３２０Ａ；４２０Ａ；５２０Ａ）を第一位置から第二位置へのラッチ（２０；１２０；２２０；３２０；４２０）の移行方向において第二地帯から離れて移動させるような形式に配置されていて、ラッチ（３２０；４２０）の第二部分（３２０Ｂ；４２０Ｂ）は、外部圧力（Ｐ0 ）を受けている第三地帯から第二地帯を分離し、ラッチの第二部分（３２０Ｂ；４２０Ｂ）は前記第二地帯とラッチの第一部分（３２０Ａ；４２０Ａ）に対して同じ側であるような形式に少なくとも前記摺動方向（Ｘ−Ｘ’）においてラッチ（３２０；４２０）の第一部分（３２０Ａ；４２０Ａ）から片寄っており、ラッチの第一部分（３２０Ａ；４２０Ａ）の横断面面積がラッチの第二部分（３２０Ｂ；４２０Ｂ）の横断面面積より大きいことを特徴とする迅速継手。
【請求項２】
ラッチ（２０；１２０；２２０；３２０；４２０）は、第一、第二、第三と任意に第四タイプの面に細分割される全面を有し、第一タイプの面（２９Ａ）が前記パージ通路における流体の圧力を受けておらず、第二タイプの面（２９Ｂ）が僅かな隙間によって案内されて且つ前記穴（１６，１１６；３１６；４１６；５１６）の壁を摺動し、第三と第四タイプの面（３０Ａ，３０Ｂ，３１）が前記パージ通路（４，１７，２６，３４；３０４，３１７，３３４；４５０；５１７，５２６）における流体の圧力（Ｐ2 ）を受けていて、第四タイプの各任意面（３１）は第三タイプの面（３０Ａ，３０Ｂ）と相違し、前記圧力（Ｐ2 ）が第二位置から第一位置へのラッチを移動させる推力を働かし、第三タイプの面の投影の面積或いは前記摺動方向（Ｘ−Ｘ’）に垂直である平面（Ｐ）に前記摺動方向（Ｘ−Ｘ’）と平行な第三タイプの面（３０Ａ，３０Ｂ）の投影の面積の総和は、第四タイプの任意の面（３１）の投影の面積或いは前記摺動方向（Ｘ−Ｘ’）に垂直である平面（Ｐ）に前記摺動方向（Ｘ−Ｘ’）と平行な第四タイプの任意の面（３１）の投影の面積の総和より大きいことを特徴とする請求項１に記載の継手。
【請求項３】
継手は少なくとも第二位置へラッチ（２０；１２０）を駆動する駆動部材（２１；１２１）を包含し、前記駆動部材（２１；１２１）とラッチ（２０；１２０）が二つの異なった部品であることを特徴とする請求項１或いは２に記載の継手。
【請求項４】
駆動部材（２１；１２１）はラッチ（２０）と同じ穴（１６）に摺動自在に据え付けられ、雌部分は前記穴（１６）に駆動部材（２１；１２１）を保持する保持受面（２３；１２３）を包含することを特徴とする請求項３に記載の継手。
【請求項５】
駆動部材（２１；１２１）は第三地帯から第二地帯を分離する少なくとも一つのピストン形成部分を包含し、前記ピストン形成部分が外部圧力（Ｐ0 ）を受けていて、前記ピストン形成部分は前記第二地帯とラッチの第一部分（２０Ａ）に対して同じ側にあるために少なくとも前記摺動方向（Ｘ−Ｘ’）においてラッチ（２０；１２０；２２０）の第一部分（２０Ａ）から片寄っていることを特徴とする請求項４に記載の継手。
【請求項６】
ラッチ（３２０；４２０；５２０）はラッチが摺動し且つ前記パージ通路（３０４，３１７，３２６，３３４，４５０；５１７，５２６）と連通する穴（３１６；４１６；５１６）に外側から接近できることを特徴とする請求項１或いは２に記載の継手。
【請求項７】
前記ラッチ（３２０；４２０）は単一部材であることを特徴とする請求項６に記載の継手。
【請求項８】
前記ラッチ（５２０）は前記パージ通路（５１７，５２６）において前記正圧力（Ｐ2 ）の効果の下で互いから離れて移動するのに適する二つの部分（５２０Ａ，５２０Ｂ）から成ることを特徴とする請求項６に記載の継手。
【請求項９】
継手はラッチ（２０；１２０；２２０；３２０；４２０；５２０）をその第一位置へ戻す弾性戻し部材（１９；１１９；３１９；４１９；５１９）を包含することを特徴とする請求項１乃至８のいずれか一項に記載の継手。
【請求項１０】
雄雌部分（２，３；１０３；２０２；２０３；３０３；４０３；５０３）の中から上流部分（２；２０２）は継手を閉鎖するシャッタ部材（１３；３１３；４１３）を包含し、雄雌部分の中から下流部分（３；１０３；２０３；３０３；４０３；５０３）は前記連結要素（５；１０５；２４０；３０５；４０５；５０５）が前記第一深さに係合されるときに前記シャッタ部材（１３；３１３；４１３）を開放位置に置いて、前記連結要素（５；１０５；２４０；３０５；４０５；５０５）が前記第二深さに係合されるときに前記シャッタ部材（１３；３１３；４１３）の位置に作用できないようになっていることを特徴とする請求項１乃至９のいずれか一項に記載の継手。
【発明の詳細な説明】
【技術分野】
【０００１】
この発明は、圧縮ガスを搬送する二つのパイプ間に一時的接続を形成する迅速継手に関する。
【背景技術】
【０００２】
慣例的に、そのような迅速継手は一方が他方に係合することによって一体に連結される補足的雄雌要素から成る。雌要素は一般に上流パイプに連結され且つシャッタ部材を備えていて、雄要素は開放位置へ移動して完全に雌要素に係合される。雌要素は一般に下流パイプに連結されている。下流パイプに存在する圧力のために、離脱中に雄要素が雌要素から激しく放出されていないことを保証するために、雄要素を雌要素に固定する固定機構は下流パイプが継手を通してパージすることができる位置に一時的に置かれた後にのみ、雄要素を完全に開放され得るような形式に設計され得る。フランス特許出願公開第１５０３９８９号明細書（特許文献１）はそのような固定機構を記載し、そのような機構の継手における存在により継手を使用するのをより安全にする。
【０００３】
それにもかかわらずに、操作者がパイプを離脱する間に、操作者が下流パイプをパージするために固定機構を十分に長くその位置に保持しない、その場合に雄要素が雌要素から激しく且つ危険に放出され得ることが起こる。
【０００４】
欧州特許出願公開第１３３３２１８号明細書（特許文献２）は雄要素が激しく放出される危険を減らすためにラッチには一回の手動作用ではなく、むしろ二回の手動作用を必要とする継手の分離を記載する。作用が連続的に実行されるから、そのような作用が不便でるのに加えて、これら作用が戻りばねによる駆動の下でラッチの他の移動によって互いに分離されなければならなく、摩擦力に依存する形式にトリガーされるので、作用が操作者が待つことを必要とする。摩擦力はそれ自体で継手の清潔性の状態のような制御することが困難である幾つかのパラメータの函数であるので、その変更はランダム形式に行われる離脱作用を導かれ得る。
【特許文献１】フランス特許出願公開第１５０３９８９号明細書
【特許文献２】欧州特許出願公開第１３３３２１８号明細書
【特許文献３】欧州特許出願公開第１４２２４６２号明細書
【発明の開示】
【発明が解決しようとする課題】
【０００５】
この発明の目的は、圧力下の流体を搬送する二つのパイプ間に一時的接続を形成するために使用した迅速継手の安全性をより増加することである。
【課題を解決するための手段】
【０００６】
この目的のために、この発明は、圧縮ガスを搬送する上下流パイプの間の一時的接続を形成する迅速継手であって、継手は雄部分と雌部分とから成り、この雌部分は第一に雄部分の雄プラグを受ける中空雌要素と、第二に雄プラグから選定された継手要素と雌部分に連結された雄プラグを固定する位置と雄プラグを開放する位置との間に移動できる任意アダプーとを保持するラッチとから成り、前記ラッチは、前記ラッチが雌部分において第一深さに係合され且つ前記雌部分において耐漏洩方法で連結された連結要素を保持するのに適している第一位置と、前記ラッチが第一深さより浅い第二深さに係合された連結要素を保持するのに適している第二位置との間に雌部分に関して移動でき、継手は連結要素が第二深さにあるときに下流パイプを外側までパージするが、しかし連結要素が第一深さにあるときに下流パイプを外側までパージしない通路を包含する迅速継手において、継手は、前記ラッチが前記パージ通路における正圧力によって少なくとも部分的に第二位置へ戻されるような形式に構成されることを提供している。
【０００７】
有益である迅速継手の他の特性によると、
・ラッチは、前記浄化通路と連通する穴で摺動方向に移動できるために摺動自在に据え付けられること；
・ラッチの第一部分は、前記孔の一部を形成し且つ浄化通路と連通する第二地帯から外部圧力を受けた第一地帯を分離し、ラッチの第一部分は前記第一部分を第一位置から第二位置へのラッチの移行方向において第二地帯から離れて移動させるような形式に配置されていること；
・ラッチの第二部分は、外部圧力を受けている第三地帯から第二部分を分離し、ラッチの第二部分は前記第二地帯とラッチの第一部分に対して同じ側であるような形式に少なくとも前記摺動方向においてラッチの第一部分から片寄っており、ラッチの第一部分の横断面面積がラッチの第二部分の横断面面積より大きいこと；
・ラッチは、第一、第二、第三と任意に第四タイプの面に細分割される全面を有し、第一タイプの面が前記浄化通路における流体の圧力を受けていて、第二タイプの面が僅かな隙間を案内に備えて且つ前記穴の壁を摺動し、第三と第四タイプの面が前記浄化通路における流体の圧力を受けていて、第四タイプの各任意面は第三タイプの面と相違し、前記圧力が第二位置から第一位置へのラッチを移動させる推力を働かし、第三タイプの面の突起の面積或いは前記摺動方向に垂直である平面に前記摺動方向と平行な第三タイプの面の突起の面積の総和は、第四タイプの任意の面の突起の面積或いは前記摺動方向に垂直である平面に前記滑り方向と平行な第四タイプの任意の面の突起の面積の総和より大きいこと；
・継手は少なくとも第二位置へラッチを駆動する駆動部材を包含し、前記駆動部材とラッチが二つの異なった部品であること；
・駆動部材はラッチと同じ穴に摺動自在に据え付けられ、雌部分は前記穴に駆動部材を保持する保持受面を包含すること；
・駆動部材は第三地帯から第二地帯を分離する少なくとも一つのピストン形成部分を包含し、前記ピストン形成部分が外部圧力を受けていて、前記ピストン形成部分は前記第二地帯とラッチの第一部分に対して同じ側にあるために少なくとも前記摺動方向においてラッチの第一部分から片寄っていること；    
・ラッチはラッチが摺動し且つ前記浄化通路と連通する穴に外側から接近できること；
・前記ラッチは単一部材であること；
・前記ラッチは前記浄化通路において前記正圧力の効果の下で互いから離れて移動するのに適する二つの部分から成ること；
・継手はラッチをその第一位置へ戻す弾性戻し部材を包含すること；
・雄雌部分の中から上流部分は継手を閉鎖するシャッタ部材を包含し、雄雌部分の中から下流部分は前記継手要素が前記第一深さに係合されるときに前記シャッタ部材を開放位置に置くようになっていて、前記継手要素が前記第二深さに係合されるときに前記シャッタ部材の位置に作用できないこと。        
【０００８】
この発明は純粋に例として与えられた次の記載を読むことにより良く理解でき且つ添付図面を参照して良く理解され得る。
【発明を実施するための最良の形態】
【０００９】
図１は、圧力下の流体を搬送する更に特に二つのパイプＣ1 とＣ2 を一体に連結する継手１を示す図式である。この本文と添付請求項において、「上流」と「下流」という用語と他の類似用語とは、継手１を通して圧力下の流体の流れ方向を参照し、この流れ方向は図２の矢印Ｅ1 により示されている。
【００１０】
軸線Ｙ−Ｙ’の継手１は雌部分２と示された例において雄要素３により構成されている補足的雄部分とから成る。
【００１１】
圧力下の流体用の軸方向通路４は雄要素３を通して右へ通過し、両端に開放する。通路４の一端を継手１から下流に位置され且つ鎖点線で表されたパイプＣ1 に連結させる手段は、任意の適切なタイプから成り、例として、締め付けカラー（明瞭性のために示されていない）から成る。
【００１２】
要素３はプラグ５の形態の端部分を有する。この部分とその自由端からの距離には、要素３は環状カラー６を備えている。
【００１３】
雌部分２は穴を通して右へ通過する軸線Ｙ−Ｙ’に心合せした軸方向穴８を有する雌要素或いは本体７から成る。この穴８の部分がプラグ５に補足的であり、プラグ５が係合され得るハウジング９を形成する。穴８の他の部分がハウジング９を形成して圧力下の流体用の通路１０を形成する。継手１から上流に位置され且つ鎖点線で表されたパイプＣ2 に通路１０の開口を連結させる手段は、任意の適切なタイプであり、例えば（明瞭性のために示されていない）締め付けカラーから成る。ハウジング９と通路１０の間の接合部には、通路４と１０において継手を密封するＯ−リング１１は環状溝１２に据え付けられる。
【００１４】
通路１０を閉鎖するシャッタ部材１３は公知の方法で通路に摺動自在に据え付けられている。このシャッタ部材１３は開放位置と閉鎖位置の間に移動でき、このシャッタ部材が図１に示された位置にあり、ハウジング９へ突き出し、環状溝１５に据え付けられたＯ−リング１４に押圧されることによって通路１０を閉鎖する。図２に示された開放位置では、シャッタ部材１３はＯ−リング１４から離れて配置されている。
【００１５】
軸線Ｙ−Ｙ’に関して横方向に延びている穴１６はハウジング９に交差する方法で雌要素７に形成されている。複数の軸方向溝１７、示された例では三つの軸方向溝が穴から通路１０へ延びて、Ｏ−リング１１に到達する前に終了する。
【００１６】
雌要素７はハウジング９にプラグ５を固定する機構１８を取り付けられる。雌要素は穴１６に据え付けられ、ばね１９、ラッチ２０とラッチ２０を駆動する駆動部材２１とから成る。駆動部材は、更に特に、図３と３Ａで手動印加圧力を表す矢印Ｆ1 により示された方向においてばね１９により力に逆らってラッチ２０を押圧する押しボタン２１である。ボタン２１は穴１６の開口１６Ｂに摺動自在に据え付けられ、結果として、前記要素７の外側から要素７の内側へ手動で駆動され得る。狭部２２はボタン２１を要素７に保持する受面２３を形成する。
【００１７】
ラッチ２０は更に、穴１６の軸線Ｘ−Ｘ’に沿って、即ちハウジング９と通路１０の軸線Ｙ−Ｙ’に関して実質的に横方向である方法で移動できるために、穴１６に摺動自在に据え付けられる。
【００１８】
ばね１９はラッチ２０を開口１６Ｂへ、即ち図１における矢印Ｆ2 により表された方向に推進させる弾性戻し部材として作用する。このために、ばねはラッチ２０とボタン２１から離れた穴１６の端壁２４との間に圧縮される。参照符号１６Ａはボタン２１から離れたラッチ２０の部分２０Ａが摺動する穴１６の一部分を示す。ピストンのように、部分２０Ａが部分１６Ａを耐漏洩方法で閉鎖する。端壁２４は穴１６の端地帯１６Ｃを外側と連通させる複数のベント２５によって貫通されている。それで、この地帯１６Ｃはいつも外部圧力Ｐ0 である。
【００１９】
図１乃至４は、特に明瞭性のために、雌要素７が単一部材として形成されるように、図に示され、実際には、雌要素はラッチ２０、ボタン２１とシャッタ部材１３が据え付けられる間に互いにから離れている複数の部品で組立てられることによって構成される線図である。
【００２０】
プラグ５用の通路２６はラッチ２０を通して貫通されて、ハウジング９の二つの部分を相互連結させる。これらの二つの部分の一方が他方より深く且つ狭くなる。その壁はプラグ５の末端を案内するのに適して、軸方向溝１７を形成する。穴１６の一端がボタン２１により閉鎖され、しかしラッチ２０によって閉鎖されない、というのは、通路２７がラッチ２０に形成されている。その他端では、穴１６はラッチ２０によって本当に閉鎖される。互いに相違する二つの要素であるラッチ２０とボタン２１は、穴１６の壁と共働して可変容積の室２８を形成し、通路２６と２７がこの室をハウジング９と連通させる。
【００２１】
ラッチ２０の全面が四つのタイプの面に細分割され得る。第一タイプの面はハウジング９に存在する流体と接触しない。更に、第一タイプの面が穴１６の壁を摺動しないので、ラッチ２０を案内するのに用いられない。示された例では、端壁２４に向いた端面２９Ａのみがこの第一タイプである。示された例において第二タイプの唯一面が通路によって貫通され、２９Ｂで表される。これは、穴の壁を摺動することにより、穴１６内で摺動する間にラッチ２０を案内する面である。第三と第四タイプの面はハウジング９に存在する流体と接触していて、それらがその配向によって互いから区別される。更に正確に、第三タイプの面は一般に方向Ｆ２に、即ち開口１６Ｂとボタン２１へ向いているのに対して、第四タイプの面は他の方向に、即ち端壁２４へ向いている。示された例では、第三タイプの二面が存在する。これら二面は３０Ａと３０Ｂで示されている。面３０Ａは部分的に通路２６を形成し、それに対して、面３０Ｂは部分的に可変容量室２８を形成する。示された例では、一個のみの面が第四タイプである。この面が３１で示されている。ラッチの摺動方向Ｘ−Ｘ’に平行な面３１と面３０Ｂ、例えば前記方向に垂直に延びる平面Ｐの投影は両方が同じ面積を有する。その結果、ラッチの摺動方向Ｘ−Ｘ’に平行な面３０Ａと３０Ｂ、例えば前記方向に垂直に延びる平面Ｐの投影の総和は前記摺動方向Ｘ−Ｘ’に平行な面３１と同様に平面Ｐの投影より大きい面積を有する。
【００２２】
ラッチ２０はそのカラー６によって雄要素３を保持する二つの内部突起、或いは歯３２と３３を備えている。これら突起３２と３３は軸線Ｙ−Ｙ’に沿って互いから片寄っている。それら突起の各々は通路２６の周辺の半分に延びているカラーの形態である。突起３２は、プラグ５を要素７へ挿入する方向Ｉにおいて突起３３から片寄っている。軸線Ｙ−Ｙ’に関して、突起がばね１９と同じ側面にあり、その間に突起３３がボタン２１と同じ側面にある。
【００２３】
図１では、雌部分２と雄部分３は分離している。シャッタ部材１３は自由に摺動でき、上流パイプＣ2 における流体の圧力が上流パイプをその下流閉鎖位置に置く。更に、ばね１９はラッチ２０をボタン２１に対して推進させて、それで挟部２２に押圧される。
【００２４】
雌部分２と雄部分３を組立てるために、プラグ５がハウジング９へ押し込まれる。これが生じる間に、カラー６は突起３２の後にスナップする。プラグ５が一度完全に挿入されたら、プラグがシャッタ部材１３をその開放位置へ上流に押し込まれる。
【００２５】
図２では、継手１はパイプＣ1 とＣ2 の間の接合部を備える。プラグ５はカラー６に係合する突起３２によってハウジング９に保持され、上流パイプＣ2 の流体の圧力Ｐ2 に逆らってシャッタ部材１３をその開放位置に保持するのに役立つ。更に、Ｏ−リング１１は通路４と１０の間の継手を密封し、ハウジング９をこれら通路４と１０から気密に隔離される。
【００２６】
雄部分３を雌部分２から分離するために、ボタン２１は方向Ｆ1 に押されてラッチ２０を端壁２４へ移動させてカラー６が突起３２を通過できるのに十分に遠く、このとき、継手１における流体の圧力はプラグ５を雌要素７に関して外方へ摺動させる。この観点で、継手１が図３と３Ａに示されている。  
【００２７】
図３と３Ａでは、突起３３はプラグ５がカラー６を介してプラグ５を保持することによって要素７から放出されることを防止する。プラグ５は図２におけるより僅かに浅く要素７に係合され、それで軸方向溝１７は通路４を通路２６と連通させている。このとき、下流パイプＣ１が浄化され、流体は矢印Ｅ２により表される如く、通路４、次に通路２６により続いた溝１７、最後にハウジング９の最狭部分の壁とプラグ５の間の隙間３４を介して通過することにより逃げる。隙間３４が狭いから、隙間３４内の頭損失が大きい。即ちパージＥ２が行なわれている間に、ハウジング９と室２８の圧力Ｐ２が正のままである、即ち圧力Ｐ２が目に見えて外部圧力Ｐ０より大きい。ラッチ２０の部分２０Ａは、外部圧力Ｐ０の地帯から正圧力Ｐ２を受けている地帯を分離する。
【００２８】
図４では、下流パイプＣ１は、ボタン２１がもはや押されない後さえ、要素３が要素７から放出されることなしに、パージＥ２され続ける。これは、継手１の外側の圧力より大きいハウジング９と室２８内の圧力Ｐ２の結果である。この正圧力Ｐ２はラッチ２０の面３０Ａ、３０Ｂと３１に作用し、方向Ｆ２におけるばね１９により働いた戻り力に逆らって、摺動軸線Ｘ−Ｘ’と平行なラッチに力Ｆ３を働かし、そしてこの正圧力は全面積を形成する平面Ｐに対して摺動方向Ｘ−Ｘ’と平行な面３０Ａと３０Ｂの突起の面積の総和の結果であり、この全面積は平面Ｐに対してと同様に前記方向Ｘ−Ｘ’と平行な面３１の突起の面積より大きい。
【００２９】
言い換えると、面３０Ａと３０Ｂへの圧力Ｐ2 の印加から生じる推力が零であり、ラッチ２０はもっぱら面３０Ａ、即ちラッチ２０の部分２０Ａに作用する前記圧力Ｐ2 から生じる推力と、面２９Ａ、即ち前記同じ部分２０Ａに印加される外部圧力Ｐ0 から生じる推力と、ばね１９により働いた推力とを受けている。ばね１９は、ラッチ２０が方向Ｆ2 に推し進めできるような形式に見積もられるが、しかし一度ハウジング９と室２８内の圧力Ｐ2 が所定閾値以下に降下されたら、前記正圧力は要素３が激しく且つ危険に放出されることをもはや導くことができない。それで、継手１の付近における任意の個人或いは装備は、この発明の目的によって保護される。
【００３０】
継手１の開放は一回の手動押圧が加えられることですみ、これが利点を構成することが観察される。
【００３１】
図５は、この発明の第二実施例における継手１０１を示す。以下の記載は単に継手１０１と継手１の間の差異に関する。更に、継手１の対応部分と類似する、或いは等価する継手１０１の部分は継手１に１００を加えて同じ符号を与えられている。
【００３２】
穴１１６は挟部２２と類似である挟部を有しない。受面１２３はばね１１９と穴１０８の軸線Ｙ−Ｙ’の同じ側面にある。この受面１２３はボタン１２１に取り付けられたフィンガー１５１の端部分１５０を保持するのに適する肩の形状を表す。
【００３３】
以前の如く、ボタン１２１は推力Ｆ1 を働かすことにより雄部分１０３のプラグ５を保持するラッチ１２０を制御するのに用いられる。
【００３４】
図１乃至４と同様に、図５は、雌要素１０７が単一部材として図示されている図式である。
【００３５】
図１乃至５と同様に図式である図６では、この発明の第三実施例を構成する継手２０１が見られ得る。この継手２０１は雄部分２０３と雌部分２０２とから成り、雌本体２０７は欧州特許出願公開第１４２２４６２号明細書（特許文献３）に記載されたアダプター２４０を取り付けている。その基端には、このアダプター２４０は雄部分２０３の雄プラグ２０５を受けて連結させる雌手段２４１を包含し、それに対して、他端には、このアダプターが雄プラグ２４２を形成する。それで、アダプターは雄と雌の両方である継手要素を構成する。また、雌本体２０７はラッチ２０と同様なラッチ２２０から成り且つアダプター２４０のプラグ２４２を二つの異なる深さに固定するのに用いられる。ラッチ２２０はラッチ２０と同様に作用する。
【００３６】
図１乃至６と同様に図式である図７では、この発明の第四実施例を構成する継手３０１が見られ得る。以下で、記載は継手３０１と継手１の間の差異の観点のみに関する。更に、継手１の対応部分と類似する、或いは等価する継手３０１の部分は、継手１の前記部分と等しい符号を採用し且つ３００を加えることにより構成された符号を与えられる。
【００３７】
ラッチ３２０は単一部材から成るけれども、ピストンと同様に穴で摺動しながら実質的に耐漏洩方法で穴３１６を閉鎖する一部分を有することに代わって、ラッチは二つのそのような部分を有する。これら二つの部分の一方が３２０Ａで与えられ、ラッチ２０の部分２０Ａに等しい。実質的に耐漏洩方法で穴３１６を閉鎖するラッチ３２０のそのような他方の部分は３２０Ｂで与えられ、ラッチ３２０の摺動方向Ｘ−Ｘ’において部分３２０Ａから反対に配置される。更に正確に、穴３１６は二つの対向端３１６Ａと３１６Ｂを有し、各端は穴を摺動する部分３２０Ａと３２０Ｂのそれぞれの一方を有する。
【００３８】
部分３２０Ａは中央通路３２６を端壁３２４に隣接した穴３１６の端地帯３１６Ｃから分離し、前記地帯３１６Ｃは外部圧力Ｐ0 である。
【００３９】
部分３２０Ｂは、雌要素３０７の外側に突き出すボタンを形成する自由端を有する直方体ロッドの形態である。ラッチ３２０は２１で表されたタイプのボタンを押圧することに代わって、ボタンを手動で方向Ｆ1 に押圧することによって作用され得る。実際には、継手３１０がボタン２１を有しない。
【００４０】
図７では、手動圧力Ｆ1 は、前もって継手３０１を通して流れる流体の圧力Ｐ1 がプラグ５を雌要素３０７に関して外方に摺動させるような方法で、ラッチ３２０を端壁３２４へ移動させる。
【００４１】
更に図７を参照すると、突起３３３はプラグ３０５が雌要素３０７から完全に放出されることを防止する。このプラグ３０５は、シャッタ部材３１３が穴３０８を閉鎖でき、軸方向溝３１７が通路３０４を通路３２６と連通させ得るような深さにまで雌要素３０７に押し込まれる。次に、下流パイプがパージされ、流体が通路３０４に沿って、次に溝３１７を介して、通路３２６を介して、そして最後に隙間３３４を通して通過することにより逃がす。
【００４２】
隙間３３４に存在する頭損失のために、パージＥ２が行われている間にハウジング３０９内の圧力Ｐ２が正のままである。ラッチ３２０の部分３２０Ａと３２０Ｂは正圧力Ｐ２を受けた地帯を外部圧力Ｐ０を受けた地帯から分離する。ラッチ３２０の摺動方向Ｘ−Ｘ’において移動する際には、部分３２０Ｂは正圧力Ｐ２を受ける地帯と部分３２０Ａに関して同じ側面において見出される。
【００４３】
正圧力Ｐ2 は推力Ｆ3Bをばね３１９の戻り力Ｆ2 と同じ方向に作用する部分３２０Ｂに働かす。しかしながら、部分３２０Ａでは、この正圧力Ｐ2 は戻り力Ｆ2 と反対方向に且つそれで推力Ｆ3Bと反対方向に作用する推力Ｆ3Aを働かす。横断面３２０Ａの面積が部分３２０Ｂの横断面の面積より大きいので、推力Ｆ3Bは推力Ｆ3Aより少ない。それで、ラッチ３２０に正圧力Ｐ2 により働いた全推力Ｆ3 は戻り力Ｆ2 と反対方向に作用されている。ばね３１９は、戻り力Ｆ2 が全推力Ｆ3 以下であるので、圧力Ｐ2 が所定閾値以下に降下するまで全推力が図７に示された位置においてラッチ３２０を保持するような方法で見積もられ、閾値以下では前記圧力は要素３０３が激しく且つ危険に放出されることをもはや導くことができない。
【００４４】
図１乃至７と同様に図式である図８では、この発明の第五実施例を構成する継手４０１が見られ得る。以下の記載は単に継手４０１と継手１の間の差異に関する。更に、継手１の対応部分と類似する、或いは等価する継手４０１の部分は継手１の前記部分に使用された符号に４００を加えることによって構成された符号を与えられている。
【００４５】
パージ通路４５０は穴４０８の部分を外側に連結する雌要素４０７に形成され、前記部分はシャッタ部材４１３から下流に位置される。パージ通路４５０は下流部分４５１を有し、その下流部分の流れ断面が外よりもかなり小さい。部分４５１から上流には、リンク通路４５２は通路４５０を穴４１６に接続する。このリンク通路４５２は穴４１６の二つの部分４１６Ａと４１６Ｂの接合部に更に正確に開放する。部分４１６Ｂはばね４１９により働いた戻り力Ｆ２の方向に摺動方向Ｘ−Ｘ’において部分４１６Ａから片寄っている。更に、この部分４１６Ｂの横断面は部分４１６Ａの横断面より少ない面積を有する。ここで使用された意味では、部分４１６Ａと４１６Ｂの横断面が摺動方向Ｘ−Ｘ’と垂直な平面における前記部分４１６Ａと４１６Ｂの断面である。
【００４６】
ラッチ４２０の部分４２０Ａは実質的に耐漏洩方法で部分４１６Ａを閉鎖し、その間にここを摺動してここに案内される。ラッチ４２０の部分４２０Ｂは実質的に耐漏洩方法で部分４１６Ｂを閉鎖し、その間にここを摺動する。その部分４１６Ｂはボタンを形成し、このボタンは外側から接近でき、手動圧力Ｆ1 はばね４により働いた戻り力Ｆ2 に逆らってラッチ４２０を駆動するために働かされ得る。それで、継手４０１は、この図に見られる如く、２１で与えられたタイプのボタンを有する必要がない。部分４２０Ａと４２０Ｂの間の接合部では、ラッチ４２０は肩４５３を形成する。
【００４７】
図８では、推力Ｆ1 はカラー４０６が突起４３２から分離されるような方法でラッチ４２０を移動した、その後に継手４０１に存在する流体の圧力がプラグ４０５を雌要素４０７に関して外方に摺動させた。
【００４８】
更に図８を参照して、突起４３３はそのカラー４０６を介してプラグ４０５を保持する。このプラグ４０５は、シャッタ部材４１３が穴４１３を閉鎖し、シャッタ部材４０３から下流には通路４０４がパージ通路４５０と連通するような深さまで要素４０７へ押圧される。このとき、下流パイプＣ１がパージされ、流体は通路４０４を介して、次にパージ通路４５０を介して通過するが、しかし通路４２６を介して通過しないことによって逃がす。
【００４９】
下流部分４５１の少ない流量断面のために、下流部分４５１における頭損失が大きい。即ちなぜかパージＥ２中には通路４５２中の圧力Ｐ２が正のままである。この正圧力Ｐ２は摺動方向Ｘ−Ｘ’と平行に肩に且つばね４１９により働いた戻り力Ｆ２に逆らって推力Ｆ３Ａを働かす肩４５３に作用する。このばね４１９は、ラッチ４２０を戻すことができ、しかし、単に一度圧力Ｐ２が所定閾値以下に降下されたら、閾値以下では圧力は雌要素４０３が激しく且つ危険に放出されることをもはや導くことができないような方法で見積もられる。圧力Ｐ２は通常には外部圧力Ｐ０である通路４２６に作用しなく、しかし、それにもかかわらずに、圧力はそれにより影響される継手４０１の通常の作用なしに高くなることが観察される。
【００５０】
先行図１乃至８と同様に図式である図９では、この発明の第六実施例を構成する継手５０１の一部が見られ得る。以下の記載は、継手５０１と継手１の間の差異のみに関する。更に、継手１の参照部分と類似する、或いは等価する継手５０１の部分は、継手１の対応部分と同じである符号に５００を加えることにより構成された符号を与えられる。
【００５１】
穴５１６は継手５０１の雌要素５０７に形成され、前記穴は要素５０７の長手軸線Ｙ−Ｙ’と垂直な方向Ｘ−Ｘ’の沿って延びていて、雌要素は単一部材である如く示されるが、しかし複数の部品から構成され得た。雄要素５０３のプラグ５０５は、穴５１６に摺動できるラッチ５２０によって雌要素５０７において適切な位置に保持される。ラッチ５２０は二つの異なった部分５２０Ａと５２０Ｂから成る。
【００５２】
部分５２０Ａは前記穴の端壁５２４の付近に位置される穴５１６の部分５１６Ａを実質的に耐漏洩方法で閉鎖する。部分５２０Ａは要素５０７の本体により形成された二つの肩５５５によって穴５１６の部分５１６Ａに保持される。部分５２０Ａは環状延長部５２０Ｃを保持し、それを通してプラグ５０５が通過でき、端壁５２４からさらに離れた部分はプラグ５０５上の外カラー５０６に支持するのに適している保持部分５３３を形成する。
【００５３】
部分５２０Ｂは開口５１６Ｃの付近に位置されている穴５１６の部分５１６Ｂにおいて実質的に対漏洩方法で摺動する。部分５２０Ｂは開口５１６Ｃの付近に形成された二つの肩５５６によりオリフィス５１６において適切な位置に保持される。部分５２０Ｂは部分５２０Ａへ延びて且つそれを通過するプラグ５０５を有する環状延長部５２０Ｄを備えている。延長部５２０Ｄは、継手５０１が第一実施例を構成する継手１の図２に示された継手と対応する完全に係合された構成であるときに、カラー５０６と交差する保持部分５３２を形成する。
【００５４】
部分５２０Ｂの主部分から最も遠い部分５３２の面５３２Ａは、端壁５２４から離れている部分５２０Ａの面５２０Ｅに支持されるように設計されている。それで、穴５２６の外側から接近できる部分５２０Ｂの面に働いた推力Ｆ1 は、部分５２０Ａと端壁５２４の間に挿入されたばね５１９により働いた弾性力Ｆ2 に逆らって部分５２０Ａに伝達され得る。
【００５５】
図９の構成では、推力Ｆ1 が働かされるときに、歯５３２は端壁５２４へ引っ込められ、それでプラグ５０５が要素５０７から一部に引き出される。次に、プラグ５０５はカラー５０６を介して部分５３３に押圧する。雌要素５０３に接続されたパイプに存在する流体は図２の矢印Ｅ2 により表される如く流れ得て、前記流れは第一実施例の溝１７に類似する溝５１７を介して通過し、第一実施例の通路２６に類似して且つ部分５２０Ａと５２０Ｂの間に形成された通路５２６に到達する。次に、部分５２０Ａと５２０Ｂの間に形成された室に存在する正圧力Ｐ2 は、力Ｆ2 に逆らって部分５２０Ａを端壁５２４へ推進させ、且つ部分５２０Ｂを端壁５２４から離れて肩５５６へ推進させる効果を有する。
【００５６】
正圧力Ｐ2 は、溝５１７と通路５２６の容積に蓄積する流体の結果である。この正圧力は特に、端壁５２４への推力Ｆ3 を受けてい部分５２０Ｂの面５２０Ｅに作用する。部分５２０Ｂに固定される部分５３３は要素５０７からカラー５０６を引き出させる通路にある位置へ戻される。
【００５７】
圧力Ｐ2 の影響の下では、部分５２０Ａと５２０Ｂは互いから離れて移動する傾向がある。
【００５８】
圧力Ｐ2 がばね５１９の剛性定数に依存する所定値より大きいままである限り、部分５２０Ａが力Ｆ3 により端壁５２４へ押圧されたままであるので、部分５３３がプラグ５０５の任意の引き出しに対向させることにおいて有効である。
【００５９】
部分５２０Ａと５２０Ｂとプラグ５０５の周りの漏れのために、圧力Ｐ2 が斬新的に減少し、力Ｆ2 が最終的に力Ｆ3 を克服し、それにより部分５２０Ａと部分５３３を開口５１６Ｃへ押圧して、それでプラグ５０５を開放する。
【００６０】
前記種々の実施例の技術的特性は、本発明の状況に組み合わせられ得る。
【図面の簡単な説明】
【００６１】
【図１】継手の雄雌部分が分離されることを示したこの発明の第一実施例における継手を示す図式的軸方向断面である。
【図２】図１の継手が上流パイプを下流パイプに連結する図１と類似する断面図である。
【図３】図１の継手の雄雌部分を分離する第一工程を示す図１と類似する断面である。
【図３Ａ】図３のラインＩＩＩ−ＩＩＩにおける図式的横断面である。
【図４】図１の継手の雄雌部分を分離する第二工程を示す図１と類似する断面である。
【図５】図３に示されるのと同じ工程においてこの発明の第二実施例の継手を示す図１と類似する断面である。
【図６】この発明の第三実施例の継手を示す図３と類似する断面である。
【図７】この発明の第四実施例の継手を示す図３と類似する断面である。
【図８】この発明の第五実施例の継手を示す図３と類似する断面である。
【図９】この発明の第六実施例の継手を示す図３と類似する断面であって、部分的に拡大寸法である。
【符号の説明】
【００６２】
１．．．．継手  
２．．．．雌要素
３．．．．雄要素
４．．．．軸方向通路
５．．．．プラグ
６．．．．環状カラー
７．．．．雌要素本体
８．．．．軸方向穴
９．．．．ハウジング
１０．．．通路
１１．．．Ｏ−リング
１２．．．環状溝
１３．．．シャッタ部材
１４．．．Ｏ−リング
１５．．．環状溝
１６．．．穴
１７．．．環状溝
１８．．．固定機構
１９．．．ばね
２０．．．ラッチ
２１．．．押しボタン
２２．．．挟部
２３．．．受面
２４．．．端壁
２５．．．ベント
２６、２７．．．通路
２８．．．室
２９、３０、３１．．．面
３２、３３．．．歯、突起
１０１、２０１、３０１、４０１、５０１．．．継手
１０３；２０３；３０３；４０３；５０３．．．継手の雄部分
１０５；２０５；３０５；４０５；５０５．．．継手のプラグ
１０７；２０７；３０７；４０７；５０７．．．中空雌要素
１１６；３１６；４１６；５１６．．．穴
１１９；３１９；４１９；５１９．．．弾性戻し部材
１２１．．．押しボタン、或いは駆動部材
３４；３０４，３１７，３３４；４５０；５１７，５２６．．．浄化通路
３１３；４１３．．．シャッタ部材
３０９．．．ハウジング
Ｃ1 ，Ｃ2 ．．．上下流パイプ
Ｐ0 ．．．外部圧力
Ｆ  ．．．力
Ｐ  ．．．圧力
Ｘ−Ｘ’．．．摺動軸線或いは摺動方向
Ｙ−Ｙ’．．．長手軸線
【図１】
0005486769.tif 000002
【図２】
0005486769.tif 000003
【図３】
0005486769.tif 000004
【図３Ａ】
0005486769.tif 000005
【図４】
0005486769.tif 000006
【図５】
0005486769.tif 000007
【図６】
0005486769.tif 000008
【図７】
0005486769.tif 000009
【図８】
0005486769.tif 000010
【図９】
0005486769.tif 000011